(57)【要約】【課題】不正行為を抑制防止できるようにすること。【解決手段】透明な遊技盤支持部材４の背面であって遊技領域７より上方の領域に主基盤９を配すると共に、当該遊技盤支持部材４の前面であって当該遊技領域７に対向する領域を除いた領域８に遮光効果がある塗装を施した。【選択図】　　図２
2004033252.tif 000002
【特許請求の範囲】
【請求項１】
遊技状態に応じた映像を投射するプロジェクタと、当該プロジェクタから背面側に投射される映像を遊技者側に表示する遊技盤と、当該遊技盤の背面側であって当該プロジェクタから投射される映像の光路上に配された透明な構造部材と、当該構造部材の背面側であって前記プロジェクタから投射される映像の光路から外れた領域に配された所定部品とを備え、前記構造部材の当該所定部品が配されている位置に対応する領域を非透明化したことを特徴とする遊技機。
【請求項２】
前記構造部材の前記所定部品が配されている位置に対応する領域に塗料を塗ることで当該領域を非透明化したことを特徴とする請求項１に記載の遊技機。
【請求項３】
前記構造部材の前記所定部品が配されている位置に対応する領域にシールを貼り付けることで当該領域を非透明化したことを特徴とする請求項１に記載の遊技機。
【発明の詳細な説明】
【０００１】
【発明の属する技術分野】
本発明は、遊技状態に応じた映像を背面側から投射して当該映像を遊技者側に表示する遊技機に関するものである。
【０００２】
【従来の技術】
従来、このような技術としては、例えば特開平７−１５５４４２号公報に記載されている「遊技機の表示装置」が知られている。この公報には、遊技状態に応じた映像をプロジェクタで投射して当該映像を遊技盤面中央に配された透過型のスクリーンに表示する技術が開示されている。
【０００３】
【発明が解決しようとする課題】
ところで、同公報に記載のプロジェクタから投射される映像を遊技領域全体に表示するように発展させたものでは、当該プロジェクタから投射される映像の光路の妨げとならないように、当該光路から外れた領域に主基盤等の所定部品を配すると共に、当該光路から外れた領域に配することが難しい構造部材等を透明な樹脂等で形成することになる。しかしながら、前記構造部材を透明な樹脂等で形成すると、当該構造部材の背面側に配される主基盤等が遊技者側から見えて、不正行為が行われやすくなってしまう。
【０００４】
そこで、本発明は、上記従来技術の未解決の課題に着目してなされたものであって、不正行為を抑制できる遊技機を提供することを課題とする。
【０００５】
【課題を解決するための手段】
上記課題を解決するために、請求項１に記載の発明である遊技機は、遊技状態に応じた映像を投射するプロジェクタと、当該プロジェクタから背面側に投射される映像を遊技者側に表示する遊技盤と、当該遊技盤の背面側であって当該プロジェクタから投射される映像の光路上に配された透明な構造部材と、当該構造部材の背面側であって前記プロジェクタから投射される映像の光路から外れた領域に配された所定部品とを備え、前記構造部材の当該所定部品が配されている位置に対応する領域を非透明化したことを特徴とするものである。なお、前記所定部品としては、例えば賞球装置や主基盤等が挙げられる。
【０００６】
また、請求項２に記載の発明である遊技機は、前記構造部材の前記所定部品が配されている位置に対応する領域に塗料を塗ることで当該領域を非透明化したことを特徴とする。
さらに、請求項３に記載の発明である遊技機は、前記構造部材の前記所定部品が配されている位置に対応する領域にシールを貼り付けることで当該領域を非透明化したことを特徴とする。
【０００７】
したがって、本発明の遊技機にあっては、透明な構造部材の背面側であってプロジェクタから投射される映像の光路から外れた領域に所定部品を配すると共に、前記構造部材の当該所定部品が配されている位置に対応する領域を非透明化するため、当該構造部材の背面側に配されている所定部品を遊技者側から見えなくすることができ、不正行為を抑制することができる。
【０００８】
また、請求項２及び３に記載の発明である遊技機にあっては、前記構造部材の前記所定部品が配されている位置に対応する領域に、塗料を塗ったりシールを貼ったりすることで当該領域を非透明化するため、前記構造部材を廃棄等するときには、当該塗料やシールを剥がすことで当該構造部材をリサイクルしやすくすることができる。
【０００９】
【発明の実施の形態】
以下、本発明の実施形態を図面に基づいて説明する。
図１は、本発明の一実施形態を示す概略構成図であり、図中、１は遊技機であって、この遊技機１の下方側には、主基盤９からの指令に応じた映像を当該遊技機１の遊技盤６の背面側から投射するためのプロジェクタ２が配されている。また遊技機１の後方側には、当該プロジェクタ２から投射される映像を反射する反射板３が配されている。さらに遊技機１の正面側には、図２（ａ）に示すように、透明な樹脂で板状に形成された遊技盤支持部材４を介して背面側で内枠５に固定された遊技盤６が配されている。この遊技盤６は、半透明な樹脂で形成されていて、前記プロジェクタ２から背面側に投射される映像を遊技盤面上の遊技領域７に表示するように構成されている。
【００１０】
一方、前記遊技盤支持部材４の背面には、前記遊技領域７より上方の領域に主基盤９が配されている。この主基盤９は、前記遊技盤６に打ち出された遊技球が入賞等したときに、遊技者に当該入賞に応じた遊技球を支払うように賞球装置に指令したり、遊技状態に応じた映像を投射するように前記プロジェクタ２に指令したりするように構成されている。また、前記遊技盤支持部材４の前面は、主基盤９が配されている位置に対応する領域が非透明化されている。すなわち、図２（ｂ）に示すように、前記遊技領域７に対向する領域を除いた領域８に遮光効果がある塗装が施されている。
【００１１】
このように、本実施形態にあっては、透明な遊技盤支持部材４の背面であって遊技領域７より上方の領域に主基盤９が配されると共に、当該遊技盤支持部材４の前面であって当該遊技領域７に対向する領域を除いた領域８に遮光効果のある塗装が施されるため、当該遊技盤支持部材４の背面に配されている主基盤９が遊技者側から見えなくなる。このため、当該主基盤９を誤作動させて不正に遊技球を支払わせるなどの不正行為が行われにくくなる。また、主基盤９に限らず、映像の光路から外れた領域に配された所定部品の位置に対応する領域を非透明化すれば、不正行為が行われにくくなる。
【００１２】
なお、上記実施形態は本発明の遊技機の一例を示したものであり、その構成等を限定するものではない。すなわち、上記実施形態では、遊技盤支持部材４の前面であって遊技領域７に対向する領域を除いた領域８に塗装を施すことによって、主基盤９等を遊技者側から見えないようにする例を示したが、これに限定されるものではなく、例えば当該領域８に印刷やシール貼付等の二次加工を施すようにしてもよく、そのようにすれば当該印刷やシール等を剥がすことで前記遊技盤支持部材４を透明な状態に戻すことができ、当該遊技盤支持部材４をリサイクルしやすくなるので好ましい。また、当該遊技盤支持部材４を射出成型するときにインサート成型法や二色成型法等を用いて、あらかじめ前記領域８に不透明な樹脂等を配するようにしてもよいし、反射板３のほうに予め光が透過しないようマスキングをしてもよい。
【００１３】
【発明の効果】
以上説明したように、本発明の遊技機にあっては、透明な構造部材の背面側であってプロジェクタから投射される映像の光路から外れた領域に所定部品を配すると共に、前記構造部材の当該所定部品が配されている位置に対応する領域を非透明化するため、当該構造部材の背面側に配されている所定部品を遊技者側から見えなくすることができ、不正行為を抑制することができる。
【図面の簡単な説明】
【図１】本発明の遊技機の一実施形態を示す概略構成図であって、（ａ）は平面図であり、（ｂ）は正面図であり、（ｃ）は側面図である。
【図２】図１の遊技機の内部構造を示す構成図であって、（ａ）は遊技盤支持部材を介して遊技盤が内枠に固定された状態を示す正面図であり、（ｂ）は内枠に遊技盤支持部材のみが取り付けられた状態を示す正面図である。
【符号の説明】
１は遊技機
２はプロジェクタ
３は反射板
４は遊技盤支持部材
５は内枠
６は遊技盤
【図１】
2004033252.tif 000003
【図２】
2004033252.tif 000004